(57)【要約】【課題】ピアノの押鍵動作に伴う鍵のタッチ感を容易に調整することができ、長期に渡って繰り返し使用するための、信頼性が優れたピアノのアクションを提供する。【解決手段】アクション１は、複数の鍵３が揺動する筬中２４を境に演奏側とは反対側に、各鍵３の上面に載置され鍵３とともに揺動するキャプスタン３０と、キャプスタン３０の上部に当接しキャプスタン３０に押し上げられてハンマー２を回動させるウィッペン５５とを備え、キャプスタン３０を鍵３の長さ方向に沿って移動させ、ウィッペン５５に対してキャプスタン３０の当接位置を変えるキャプスタン移動機構６０を備える。各キャプスタン３０は、共通の回転軸３４に回動自在に支持され、他端側が鍵３の上面に当接して鍵３の揺動に伴い揺動し、キャプスタン移動機構６０は、複数の鍵３の側方に支持体３２が鍵３の長さ方向に沿って移動可能に設けられ、支持体３２が回転軸３４を支持する。【選択図】図１
2005077848.tif 000002
【特許請求の範囲】
【請求項１】
複数の鍵が揺動する支点を境に演奏側とは反対側において、各鍵の上面に載置され演奏者の押鍵によって鍵とともに揺動するキャプスタンと、該キャプスタンの上部に当接し該キャプスタンに押し上げられてハンマーを回動させるウィッペンとを備え、ハンマーによって弦を打弦するピアノのアクションであって、
前記キャプスタンを鍵の長さ方向に沿って移動させ、前記ウィッペンに対して該キャプスタンの当接位置を変えるキャプスタン移動手段を備える、
ことを特徴とするピアノのアクション。
【請求項２】
前記各キャプスタンは、一端が複数の鍵に跨って配設された共通の回転軸に回動自在に支持され、他端側が鍵の上面に当接して鍵の揺動に伴い揺動し、前記キャプスタン移動手段は、複数の鍵の側方に、支持体が鍵の長さ方向に沿って移動可能に設けられ、該支持体が前記回転軸を支持している、
ことを特徴とする請求項１に記載のピアノのアクション。
【請求項３】
前記ウィッペンの前記キャプスタンとの当接面は、前記鍵が揺動する支点に近づくにつれて該鍵の上面に近づくように、鍵の長さ方向に沿って傾斜している、
ことを特徴とする請求項１又は請求項２に記載のピアノのアクション。
【請求項４】
前記ハンマーを介して前記弦と反対側方向に、該ハンマーに当接して該ハンマーの反対側方向の回動を停止させるハンマーレールを備え、前記キャプスタン移動手段の作動に伴って、前記ハンマーレールの位置を前記ハンマーの回動方向に沿って移動させるように構成されている、
ことを特徴とする請求項３に記載のピアノのアクション。
【請求項５】
前記鍵及び前記ウィッペンの少なくとも一方と前記キャプスタンとの間に、該鍵の長さ方向に回転する回転体を備え、該回転体を介して該鍵及び該ウィッペンの少なくとも一方と該キャプスタンが当接する、
ことを特徴とする請求項１乃至請求項４の何れか記載のピアノのアクション。
【請求項６】
前記鍵及び前記ウィッペンの少なくとも一方と前記キャプスタンとの間にフェルトを備え、該フェルトを介して該鍵及び該ウィッペンの少なくとも一方と該キャプスタンが当接する、
ことを特徴とする請求項１乃至請求項５の何れか記載のピアノのアクション。
【発明の詳細な説明】
【技術分野】
【０００１】
本発明は、ピアノの鍵に連結され、ハンマーを回動させることにより、打弦を行わせるピアノのアクションに関する。
【背景技術】
【０００２】
従来、ピアノのアクションは、複数の鍵毎に、鍵が揺動する支点を境に演奏者とは反対側において、鍵上に突き出して固定されたキャプスタンの上部にウィッペンが当接して備えられ、演奏者の押鍵動作に伴ってウィッペンがキャプスタンに突き上げられ、ハンマーを回動させて打弦を行わせる。また、ピアノにおいては、押鍵動作に伴って演奏者の指に伝わるタッチ感がピアノの良否を決定する一つのパラメータであるので、押鍵動作に伴うタッチ感を調整するために、ピアノを組み立てる際に、鍵からのキャプスタンの突き出し量の調整が行われている。そして、一般に、キャプスタンは、鍵に羅合するネジ部が備えられ、キャプスタンを回転させて突き出し量の調整が行われる。
【０００３】
また、押鍵動作に伴うタッチ感を調整するために、鍵の一部に螺合し先端部がキャプスタンの周面に当接するネジを備え、ネジの先端部をキャプスタンの下面に押し付け、鍵からのキャプスタンの突き出し量の調整を行うもの（例えば、特許文献１参照）や、ウィッペンの上下方向に貫通して螺合し先端部がキャプスタンの上面に当接するネジを備え、ネジの先端部をキャプスタンの上面に押し付け、ウィッペンの上下位置の調整を行うもの（例えば、特許文献２参照）がある。
【特許文献１】特開平１０−０３９８５７号公報（第５頁、第１−３図）
【特許文献２】特開平１０−０３９８５８号公報（第５―６頁、第１−６図）
【発明の開示】
【発明が解決しようとする課題】
【０００４】
しかしながら、従来例及び特許文献１、特許文献２のように、押鍵動作に伴うタッチ感を調整する際に、ネジによってキャプスタンの突き出し量又はウィッペンの上下位置を調整する構成によれば、鍵のタッチ感を確認しながら、ネジを回転させて緩めたり締め付けたりする作業が面倒であった。
【０００５】
本発明は、こうした問題に鑑みなされたものであり、ピアノの押鍵動作に伴う鍵のタッチ感を容易に調整することができるピアノのアクションを提供することを目的とする。
【課題を解決するための手段】
【０００６】
かかる目的を達成するためになされた請求項１記載の発明は、複数の鍵が揺動する支点を境に演奏側とは反対側において、各鍵の上面に載置され演奏者の押鍵によって鍵とともに揺動するキャプスタンと、該キャプスタンの上部に当接し該キャプスタンに押し上げられてハンマーを回動させるウィッペンとを備え、ハンマーによって弦を打弦するピアノのアクションであって、前記キャプスタンを鍵の長さ方向に沿って移動させ、前記ウィッペンに対して該キャプスタンの当接位置を変えるキャプスタン移動手段を備えることを特徴とする。
【０００７】
請求項１に記載のピアノのアクションによれば、キャプスタンを鍵の長さ方向に沿って移動させ、ウィッペンに対してキャプスタンの当接位置を変えるキャプスタン移動手段を備えているので、演奏者の押鍵動作におけるタッチ感を自在に調整することができる。つまり、鍵の長さ方向にウィッペンに対してキャプスタンの当接位置を変化させると、鍵がキャプスタンを介してウィッペンから受ける荷重の作用点と鍵の揺動する支点との距離が変化するので、演奏者の押鍵動作におけるタッチ感を調整できる。
【０００８】
また、請求項１に記載のピアノのアクションによれば、押鍵動作におけるタッチ感を調整する際に、キャプスタンの位置を鍵の長さ方向に移動させる構成にしたので、従来のようにネジを回転させてキャプスタンの突き出し量又はウィッペンの上下位置を調整する構成に較べると、操作が容易にできる。
【０００９】
次に、請求項２に記載の発明は、請求項１に記載のピアノのアクションにおいて、前記各キャプスタンは、一端が複数の鍵に跨って配設された共通の回転軸に回動自在に支持され、他端側が鍵の上面に当接して鍵の揺動に伴い揺動し、前記キャプスタン移動手段は、複数の鍵の側方に支持体が鍵の長さ方向に沿って移動可能に設けられ、該支持体が前記回転軸を支持していることを特徴とする。
【００１０】
請求項２に記載のピアノのアクションによれば、各キャプスタンは、一端が複数の鍵に跨って配設された共通の回転軸に回動自在に支持され、他端側が鍵の上面に当接して鍵の揺動に伴い揺動し、キャプスタン移動手段は、複数の鍵の側方に支持体が鍵の長さ方向に沿って移動可能に設けられ、支持体が回転軸を支持しているので、支持体を鍵の長さ方向に移動させることによって、回転軸及び各キャプスタンを鍵の長さ方向に移動させ、複数の鍵に対して押鍵動作におけるタッチ感を同時に調整することができる。
【００１１】
次に、請求項３に記載の発明は、請求項１乃至請求項３の何れか記載のピアノのアクションにおいて、前記ウィッペンの前記キャプスタンとの当接面は、前記鍵が揺動する支点に近づくにつれて該鍵の上面に近づくように、鍵の長さ方向に沿って傾斜していることを特徴とする。
【００１２】
請求項３に記載のピアノのアクションによれば、ウィッペンのキャプスタンとの当接面は、鍵の揺動する支点に近づくにつれて鍵の上面に近づくように、鍵の長さ方向に沿って傾斜しているので、キャプスタンの位置が鍵の揺動する支点に近づくにつれて、ウィッペンを上方に押し上げるように作用し、打弦動作を安定して得ることができる。つまり、キャプスタンの位置が鍵の揺動する支点に近づくにつれ、鍵の揺動量と共にキャプスタンの揺動量も小さくなり、キャプスタンに突き上げられるウィッペンの上昇位置が低くなる。そこで、ウィッペンのキャプスタンとの当接面には、鍵の揺動する支点に近づくにつれて鍵の上面に近づくように、傾斜をつけておけば、キャプスタンを鍵の揺動する支点に近づくように移動しても、この傾斜の分だけウィッペンが押し上げられ、鍵の揺動に伴うウィッペンの上昇位置が低くなることなく、延いてはハンマーの打弦力を安定して得ることができる。
【００１３】
次に、請求項４に記載の発明は、請求項３に記載のピアノのアクションにおいて、前記ハンマーを介して前記弦と反対側方向に、該ハンマーの軸に当接して該ハンマーの反対側方向の回動を停止させるハンマーレールを備え、前記キャプスタン移動手段の作動に伴って、前記ハンマーレールの位置を前記ハンマーの回動方向に沿って移動させるように構成されていることを特徴とする。
【００１４】
請求項４に記載のピアノのアクションによれば、ウィッペンのキャプスタンとの当接面が鍵の揺動する支点に近づくにつれて鍵の上面に近づくように鍵の長さ方向に沿って傾斜している際に、ハンマーを介して弦と反対側方向に、ハンマーの軸に当接してハンマーの反対側方向の回動を停止させるハンマーレールを備え、キャプスタン移動手段の作動に伴って、ハンマーレールの位置をハンマーの回動方向に沿って移動させるように構成されているので、キャプスタンを鍵の長さ方向に移動にさせることによってウィッペンの上下位置が変化し、押鍵前のハンマーの位置が変化しても、ハンマーの軸に対してハンマーレールの当接を維持することができる。つまり、ウィッペンのキャプスタンとの当接面が鍵の揺動する支点に近づくにつれて鍵の上面に近づくように鍵の長さ方向に沿って傾斜していれば、キャプスタンを鍵の揺動する支点に近づくように鍵の長さ方向に移動させると、この傾斜の高さ分だけウィッペンが上昇し、ハンマーの軸が弦方向に回動しハンマーレールに対して離間するので、この離間の距離の分だけハンマーレールをハンマーの回動方向に移動させ、ハンマーの軸に対してハンマーレールの当接を維持し、弦とは反対側方向のハンマーの停止を安定して得ることができる。
【００１５】
次に、請求項５に記載の発明は、請求項１乃至請求項４の何れか記載のピアノのアクションにおいて、前記鍵及び前記ウィッペンの少なくとも一方と前記キャプスタンとの間に、該鍵の長さ方向に回転する回転体を備え、該回転体を介して該鍵及び該ウィッペンの少なくとも一方と該キャプスタンが当接することを特徴とする。
【００１６】
請求項５に記載のピアノのアクションによれば、鍵及びウィッペンの少なくとも一方とキャプスタンとの間に、鍵の長さ方向に回転する回転体を備え、回転体を介して鍵及びウィッペンの少なくとも一方とキャプスタンが当接するので、鍵とキャプスタンとの当接部及びウィペンとキャプスタンとの当接部の少なくとも何れかに摩擦力が加わることがなく、演奏者の押鍵動作に伴って鍵がスムーズに動作して良好なタッチ感を得ることができる。
【００１７】
次に、請求項６に記載の発明は、請求項１乃至請求項５の何れか記載のピアノのアクションにおいて、前記鍵及び前記ウィッペンの少なくとも一方と前記キャプスタンとの間にフェルトを備え、該フェルトを介して該鍵及び該ウィッペンの少なくとも一方と該キャプスタンが当接することを特徴とする。
【００１８】
請求項６に記載のピアノのアクションによれば、鍵及びウィッペンの少なくとも一方とキャプスタンとの間にフェルトを備え、フェルトを介して鍵及びウィッペンの少なくとも一方とキャプスタンが当接するので、鍵及びウィッペンの少なくとも一方とキャプスタンが当接する際の衝撃を和らげ、接触音の発生を抑制することができる。
【発明を実施するための最良の形態】
【００１９】
以下、本発明の一実施例を図面と共に説明する。図１は、本発明のピアノのアクションが適用された実施例の、アップライピアノのアクションの構成を表す側面図、図２は、同実施例においてキャプスタン移動機構の構成を表す外観斜視図である。
【００２０】
図１において、アクション１は、ハンマーシャンク１８の先端にハンマーヘッド１９を備え弦４を打弦するハンマー２と、鍵３の上面に載置され演奏者の押鍵によって鍵３と共に揺動するキャプスタン３０と、キャプスタン３０の上部に当接しキャプスタン３０に押し上げられてハンマー２を回動させるハンマー作動部５２（ハンマー作動部５２の一部のみを図示する）と、ウィッペン５５に対してキャプスタン３０の当接位置を変えるキャプスタン移動機構６０とを備えている。尚、本発明のキャプスタン移動手段は、キャプスタン移動機構６０によってその機能が発現される。
【００２１】
鍵３は、ピアノ１台あたり８８鍵設置され、筬中２４を支点に揺動できるように設置されている。この鍵３は図中記載の手前側（所謂、演奏側である）を押鍵すると鍵３の図中記載の後側（所謂、筬中２４を境に演奏側と反対側である）が上昇して、その押鍵動作をハンマー作動部５２に伝達する。
【００２２】
ハンマー作動部５２は、複数の鍵３が揺動する筬中２４（所謂、鍵３が揺動する支点である）を境に演奏側（図１中の手前側である）とは反対側において、鍵３が押されると上昇するキャプスタン３０、ウィッペンフレンジ５６を介してセンターレール５７に回動可能に支持され、キャプスタン３０の上昇によって上向きに回動するウィッペン５５、ウィッペン５５にジャックフレンジ５８ａを介して回動可能に支持され、ウィッペン５５と共に上昇するジャック５８、ジャック５８に対して当接及び離間すると共にセンターレール５７にパットフレンジ５９ａを介して回動可能に支持されるバット５９、バット５９に連結され、バット５９がジャック５８により突き上げられると反時計回りに回動するハンマーシャンク（所謂、ハンマーの軸である）１８、ハンマーシャンク１８の先端に装着されたハンマーヘッド１９、ハンマー２を介して弦４と反対側方向に配設され、ハンマーシャンク１８に緩衝材２０を介して当接するハンマーレール２１、センターレール５７に固定されたフレンジ２１ｂに一端が支持されると共に他端がハンマーレール２１に固定されたハンマーレールアーム２１ａ等を備えている。
【００２３】
また、ウィッペン５５のキャプスタン３０との当接面５５ａは、鍵３が揺動する筬中２４に近づくにつれて鍵３の上面に近づくように、鍵３の長さ方向に沿って傾斜している。
次に、キャプスタン３０は、複数の鍵３に跨って配設された共通の回転軸３４に一端側が回動自在に支持され、鍵３の長さ方向に配設されたアーム３３と、アーム３３の他端側に固定され、上下に突き出して配設されたヘッド部３１と、ヘッド部３１の周面に貼り付けられたフェルト３１ｂとを備えている。
【００２４】
また、キャプスタン３０は、ヘッド部３１の下部がフェルト３１ｂを介して鍵３の上面に当接するとともに、ヘッド部３１の上部がフェルト３１ｂを介してウィッペン５５の下方の当接面５５ａに当接している。そして、キャプスタン３０は、演奏者の押鍵動作に伴って鍵３が筬中２４を支点に上方向に揺動すると、アーム３３が回転軸３４を軸に回動してヘッド部３１が鍵３と一体となって揺動し、ウィッペン５５を上方に押し上げる。
【００２５】
また、図２に示すように、キャプスタン３０は、各鍵３に対応して備えられ、アーム３３の一端側に回転軸３４に係合する係合孔が形成され、共通の回転軸３４に複数係合している。回転軸３４には所定のピッチ毎に大径部３４ｂと小径部３４ａとが形成されている。そして、キャプスタン３０は、アーム３３の一端側の係合孔に回転軸３４の小径部３４ａが挿通され、回転軸３４の小径部３４ａに回転自在に係合するとともに、両側が大径部３４ｂに挟まれて回転軸３４の軸方向にずれないように係合されている。また、回転軸３４の両端は、支持体３２に固定されている。
【００２６】
次に、キャプスタン移動機構６０は、図１、図２に示すように、複数の鍵３の両側方に、支持体３２に係合し鍵３の長さ方向に支持体３２を移動させるスライドレール６１と、スライドレール６１における上レール６２にアームピン６６を介して係合し回連結シャフト６８を軸にＥ方向及びＥ方向の逆方向に回動するアーム６５とを備えている。すなわち、スライドレール６１及びアーム６５は２本存在する。
【００２７】
また、スライドレール６１は、棚板７３の上に、鍵３に平行に、支持体３２の下に設置されている。スライドレール６１は、上レール６２と下レール６３とによって構成され、そのうち下レール６３の方はピアノ本体に固定されている。また、上レール６２と下レール６３との間には両者の摩擦を低減されるためのベアリング（図示せず）が設けられており、上レール６２は下レール６３の上を鍵３の長手方向に沿って自在にスライドできるようになっている。そして、上レール６２のスライドに伴って上レール６２に固定されている支持体３２も鍵３の長さ方向に沿って移動し、この移動に伴って、回転軸３４、回転軸３４に係合しているキャプスタン３０が移動する。また、スライドレール６１の上レール６２の手前側先端にはフレンジ６４が設けられており、フレンジ６４に設けられたアームピン６６が、アーム６５と上レール６２とを連動させている。
【００２８】
また、図１に示すように、アーム６５のそれぞれの一端は、棚板７３の下面にネジ７４、７５によって取り付けられた取り付け部６７において、連結シャフト６８を中心にして回転可能に取り付けられており、２本のアーム６５は連結シャフト６８を介して連動する。
【００２９】
また、アーム６５の他端には、アーム６５を手前側に付勢するコイルスプリング６５ｂと、このコイルスプリング６５ｂによる付勢力に抗してアーム６５を後側に索引するためのワイヤ６５ａとが接続されている。そして、ワイヤ６５ａは、一端が固定部材６５ｃを介してアップライトピアノの側板（図示せず）に固定されたチューブ６５ｄに収納されており、チューブ６５ｄの他端に設けられた操作レバー（図示せず）を操作して所定量索引できるようにされている。
【００３０】
そして、操作レバー（図示せず）を操作してワイヤ６５ａを後側に索引すると、図１中の二点鎖線に示すように、アーム６５が矢印Ｅの方向に回転し、上レール６２が手前側（矢印Ｆに示す方向）にスライドし、そのスライドに伴って支持体３２、回転軸３４、キャプスタン３０が図１中の二点鎖線に示すように、手前側に移動する。また、ワイヤ６５ａを索引する前の位置に操作レバーを戻すと、コイルスプリング６５ｂの付勢力によってアーム６５が矢印Ｅの逆方向に回転し、上レール６２が後側にスライドし、そのスライドに伴って支持体３２、回転軸３４、キャプスタン３０が後側（矢印Ｆの逆方向）に移動する。
【００３１】
また、ウィッペン５５の当接面５５ａが傾斜しているので、キャプスタン３０を矢印Ｆ方向に移動させるとハンマーシャンク１８が図中の二点鎖線に示すように矢印Ｈ方向に回動し、キャプスタン３０を矢印Ｆと逆方向に移動させるとハンマーシャンク１８が矢印Ｈの逆方向に回動する。この際、ハンマーレール２１は、ハンマーシャンク１８の回動に伴って、ハンマーシャンク１８から離間することのないように、ハンマーシャンク１８が矢印Ｈ方向に回動すると矢印Ｇ方向に回動し、ハンマーシャンク１８が矢印Ｈの逆方向に回動すると矢印Ｇ逆方向に回動するように構成されている。
【００３２】
即ち、ハンマーレール２１を支持するハンマーレールアーム２１ａは、フレンジ２１ｂを介してセンターレール５７に回動可能に支持されるとともに、アーム６５にワイヤ８０によって接続されている。そして、操作レバー（図示せず）を操作してワイヤ６５ａを索引すると、アーム６５が矢印Ｅの方向に回転してワイヤ８０が手前側に索引され、ハンマーレールアーム２１ａが矢印Ｇ方向に回動し、ワイヤ６５ａを索引する前の位置に操作レバーを戻すと、アーム６５が矢印Ｅの逆方向に回転してワイヤ８０が後側に戻され、ハンマーレールアーム２１ａが矢印Ｇの逆方向に回動し、ハンマーレール２１が緩衝材２０を介してハンマーシャンク１８に当接するように構成されている。
【００３３】
以下に、前記の構成を有する本発明の実施例の、ピアノのアクション１の作用効果を記載する。
本実施例のピアノのアクション１によれば、キャプスタン３０を鍵３の長さ方向に沿って移動させ、ウィッペン５５に対してキャプスタン３０の当接位置を変えるキャプスタン移動機構６０を備えているので、演奏者の押鍵動作におけるタッチ感を自在に調整することができる。つまり、鍵３の長さ方向にウィッペン５５に対してキャプスタン３０の当接位置を変化させると、鍵３がキャプスタン３０を介してウィッペン５５から受ける荷重の作用点と鍵３の揺動する筬中２４との距離が変化するので、演奏者の押鍵動作におけるタッチ感を調整できる。
【００３４】
また、本実施例のピアノのアクション１によれば、押鍵動作におけるタッチ感を調整する際に、キャプスタン３０の位置を鍵３の長さ方向（Ｆ方向又はＦ方向の逆方向）に移動させる構成にしたので、従来のようにネジを回転させてキャプスタンの突き出し量又はウィッペンの上下位置を調整する構成に較べると、操作が容易にできる。
【００３５】
また、本実施例のピアノのアクション１によれば、キャプスタン移動機構６０によって移動させるキャプスタン３０の方向が鍵３の長さ方向であって、鍵３の揺動に伴って作動させるキャプスタン３０及びウィッペン５５の揺動方向と略直交しているので、長期に渡って繰り返し使用するための、優れた信頼性を維持できる。即ち、本実施例のピアノのアクション１によれば、キャプスタン移動機構６０によって移動させたキャプスタン３０の鍵の長さ方向に、鍵の揺動に伴う荷重が直接に加えられることがないので、キャプスタン３０の位置の変化を抑制でき、安定した動作を維持できる。
【００３６】
また、本実施例のピアノのアクション１によれば、各キャプスタン３０は、一端が複数の鍵３に跨って配設された共通の回転軸３４に回動自在に支持され、他端側が鍵３の上面に当接して鍵３の揺動に伴い揺動し、キャプスタン移動機構６０は、複数の鍵３の側方に支持体３２が鍵３の長さ方向に沿って移動可能に設けられ、支持体３２が回転軸３４を支持しているので、支持体３２を鍵３の長さ方向に移動させることによって、回転軸３４及び各キャプスタン３０を鍵３の長さ方向に移動させ、複数の鍵３に対して押鍵動作におけるタッチ感を同時に調整することができる。
【００３７】
また、本実施例のピアノのアクション１によれば、ウィッペン５５のキャプスタン３０との当接面５５ａは、鍵３の揺動する支点となる筬中２４に近づくにつれて鍵３の上面に近づくように、鍵３の長さ方向に沿って傾斜しているので、キャプスタン３０の位置が筬中２４に近づくにつれてウィッペン５５を上方に押し上げるように作用し、打弦動作を安定して得ることができる。つまり、キャプスタン３０の位置が筬中２４に近づくにつれ、鍵３の揺動量と共にキャプスタン３０の揺動量も小さくなり、キャプスタン３０に突き上げられるウィッペン５５の上昇位置が低くなる。そこで、本実施例では、ウィッペン５５のキャプスタン３０との当接面５５ａに、筬中２４に近づくにつれて鍵３の上面に近づくように傾斜をつけているので、キャプスタン３０を筬中２４に近づくように移動しても、この傾斜の分だけウィッペン５５が押し上げられ、鍵３の揺動の際にウィッペン５５の上昇位置が低くなることなく、延いてはハンマー２の打弦力を安定して得ることができる。
【００３８】
また、本実施例のピアノのアクション１によれば、ウィッペン５５の当接面５５ａが鍵３の揺動する支点となる筬中２４に近づくにつれて鍵３の上面に近づくように鍵３の長さ方向に沿って傾斜している際に、ハンマー２を介して弦４と反対側方向に、ハンマーシャンク１８に当接してハンマー２の反対側方向の回動を停止させるハンマーレール２１を備え、キャプスタン移動機構６０の作動に伴って、ハンマーレール２１の位置をハンマー２の回動方向に沿って移動させるように構成されているので、キャプスタン３０を鍵３の長さ方向に移動にさせることによって押鍵前のハンマー２の位置が変化しても、ハンマーシャンク１８に対してハンマーレール２１の当接を維持することができる。つまり、ウィッペン５５の当接面５５ａが鍵３の揺動する支点となる筬中２４に近づくにつれて鍵３の上面に近づくように鍵３の長さ方向に沿って傾斜していれば、キャプスタン３０を筬中２４に近づくように鍵３の長さ方向に移動させると、図１中の二点鎖線に示すように、この傾斜の高さ分だけウィッペン５５が上昇し、ハンマーシャンク１８が弦４方向に回動してハンマーレール２１に対して離間するので、この離間の距離だけハンマーレール２１をハンマー２の回動方向に移動させ、ハンマーシャンク１８に対してハンマーレール２１の当接を維持することにより、弦４とは反対側方向のハンマー２の停止を安定して得ることができる。
【００３９】
また、本実施例のピアノのアクション１によれば、鍵３及びウィッペン５５とキャプスタン３０との間にフェルト３０ｂを備え、フェルト３０ｂを介して鍵３及びウィッペン５５とキャプスタン３０が当接するので、鍵３及びウィッペン５５とキャプスタン３０が当接する際の衝撃を和らげ、接触音の発生を抑制することができる。
【００４０】
（変形例２）
次に、図３を用いて、本発明のピアノのアクションにおいて、キャプスタンの変形例について説明する。図３は、キャプスタンの変形例の構成を表す外観斜視図である。尚、本変形例におけるキャプスタンの構成は、基本的に前記実施例で表したキャプスタン３０と同じ構成なので詳細な説明を省き、特徴となる部分について説明する。
【００４１】
図３において、キャプスタン４０は、鍵３及びウィッペン５５とキャプスタン４０との間に、鍵３の長さ方向に回転する円筒形状の一対の回転体４３を備え、回転体４３を介して鍵３及びウィッペン５５とキャプスタン４０が当接するように構成されている。
【００４２】
また、キャプスタン４０は、前記実施例と同じように、アーム４１の一端側の係合孔に回転軸３４の小径部３４ａが挿通され、回転軸３４の小径部３４ａに回転自在に係合するとともに、両側が大径部３４ｂに挟まれて回転軸３４の軸方向にずれないように係合されている。そして、アーム４１の両側にフレンジ４２が固定されると共にフレンジ４２に回転軸４０ａが固定され、回転体４３が鍵３の長さ方向に回転自在に回転軸４０ａに対して係合している。また、回転体４３の表面には、図示されないフェルトが貼り付けられている。
【００４３】
前記変形例のキャプスタン４０を備えたピアノのアクション１によれば、鍵３及びウィッペン５５とキャプスタン４０との間に、鍵３の長さ方向に回転する回転体４３を備え、回転体４３を介して鍵３及びウィッペン５５とキャプスタン４０が当接するので、キャプスタン４０の前後方向への移動の際、鍵３とキャプスタン４０との当接部及びウィッペン５５とキャプスタン４０との当接部に摩擦力が加わることがなく、キャプスタン４０の前後方向への移動の際及び演奏者の押鍵動作に伴って鍵３がスムーズに動作して良好なタッチ感を得ることができる。
【００４４】
以上、本発明の実施例及び変形例について説明したが、本発明は、上述した実施例及び変形例に限定されるものではなく、種々の態様を取ることができる。
例えば、実施例において、本発明のピアノのアクションとして、アップライトピアノのアクション１について記載したが、複数の鍵が揺動する支点を境に演奏側とは反対側において、各鍵の上面に載置され演奏者の押鍵によって鍵とともに揺動するキャプスタンと、キャプスタンの上部に当接しキャプスタンに押し上げられてハンマーを回動させるウィッペンとを備え、ハンマーによって弦を打弦するピアノのアクションであれば、例えば、グランドピアノや電子ピアノにも適用できる。
【００４５】
また、実施例のピアノのアクションによれば、８８鍵の各鍵毎に備えた各キャプスタン３０が共通の回転軸３４に係合し、支持体３２を鍵の長さ方向に移動させることによって、各キャプスタン３０を鍵３の長さ方向に同時に移動させるものとしたが、回転軸３４を複数に分割し、分割された回転軸をそれぞれ独立して移動させるようにキャプスタン移動機構を複数備え、各キャプスタン３０を分割して移動できるようにしてもよい。
【００４６】
また、変形例におけるキャプスタン４０は、円筒形状の回転体４３を備えたが、球形状の回転体であってもよい。
【図面の簡単な説明】
【００４７】
【図１】本発明のピアノのアクションが適用された実施例の、アップライピアノのアクションの構成を表す側面図である。
【図２】同実施例においてキャプスタン移動機構の構成を表す外観斜視図である。
【図３】本発明のピアノのアクションが適用された、キャプスタンの変形例の構成を表す外観斜視図である。
【符号の説明】
【００４８】
１…アクション、２…ハンマー、３…鍵、４…弦、１８…ハンマーシャンク、１９…ハンマーヘッド、２０…緩衝材、２１…ハンマーレール、２１ａ…ハンマーレールアーム、２１ｂ…フレンジ、２４…筬中、３０，４０…キャプスタン、３０ｂ…フェルト、３１…ヘッド部、３２…支持体、３３，４１…アーム、３４…回転軸、３４ａ…小径部、３４ｂ…大径部、４０ａ…回転軸、４２…フレンジ、５２…ハンマー作動部、５５…ウィッペン、５５ａ…当接面、５６…ウィッペンフレンジ、５７…センターレール、５８ａ…ジャックフレンジ、５８…ジャック、５９…バット、５９ａ…パットフレンジ、６０…キャプスタン移動機構、６１…スライドレール、６２…上レール、６３…下レール、６４…フレンジ、６５…アーム、６５ａ…ワイヤ、６５ｂ…コイルスプリング、６５ｃ…固定部材、６５ｄ…チューブ、６６…アームピン、６７…取り付け部、６８…連結シャフト、７３…棚板、７４，７５…ネジ、８０…ワイヤ。
【図１】
2005077848.tif 000003
【図２】
2005077848.tif 000004
【図３】
2005077848.tif 000005